(57)【特許請求の範囲】
【請求項１】
筒状の胴部と、平面を有する底部と、開口を有する口部と、口部の開口を封止する蓋部と、結束具とを有し、少なくとも前記胴部及び底部がシリコーン樹脂で形成されたシリコーン樹脂製容器であって、
少なくとも前記胴部及び底部は、一体成形によって形成され、
前記結束具は、伸縮可能な紐状体で形成され、前記口部に取り付け可能なリング状の取着部が一端・他端の両端に設けられ、この取着部の一端側が前記口部に取り付けられた構成であって、
前記底部を軸として、前記胴部を、前記口部に至るまでロール状に巻き取り、この巻き取られた胴部及び底部を、前記一端側の取着部が口部に取り付けられている結束具の両端取着部以外の紐状体部分で巻き絞り、前記結束具の他端側の取着部を前記口部に取り付ける構成であり、
この構成によって、前記胴部が、底部を軸とする巻き取り状態で保持可能な構成であることを特徴とするシリコーン樹脂製容器。
【発明の詳細な説明】
【技術分野】
【０００１】
本発明は、シリコーン樹脂製容器に関し、詳しくは、ロール状に巻き取り・保持可能なシリコーン樹脂製容器に関する。
【背景技術】
【０００２】
従来から、小さく折り畳むことができるプラスチック製の容器が知られている。
特許文献１には、『一体に成形された側壁部と底壁部を有し、容器軸を通る面上に位置する一対の側壁部折線と、前記面上に位置する底壁部折線とを備えた折り畳み可能なプラスチック容器において、前記側壁部と底壁部との接続部には前記面に対して対称に一対の接地用下端縁が形成され、前記底壁部折線は前記下端縁よりもやや上方に位置する頂点乃至頂辺と、該頂点乃至頂辺と側壁部折線とをＶ字型乃至Ｕ字型に接続する一対の辺とから成り、前記下端縁の端部と側壁部折線−底壁部折線接続部との間及び前記下端縁の端部と底壁部頂点乃至頂辺との間には夫々折線が形成されている折り畳み可能なプラスチック容器。』が開示されている。
【０００３】
しかし、特許文献１に記載の技術は、側壁部又は底壁部に設けられた「折線」の部分以外では、折ったり曲げたりすることが困難であるため、自在に折り畳むことができず、折り畳み状態における容器の小型化が十分でないという問題があった。また、予め設けられた「折線」部分で折り畳まなければならず、折り畳み作業に時間と労力を要するばかりか、折り畳み状態から液体等を充填可能な状態（使用状態）に復元する作業にもまた、時間と労力を要するという問題もあった。
【０００４】
特許文献２には、『ボトル胴部の側面に畳み合わせ部を設け、上部に折り畳み部を設け、底にマチ部を設け、ボトル本体適所に留め部を設けた折り畳み式携帯ボトル。』が開示されている。
【０００５】
しかし、特許文献２に記載の技術は、ボトル胴部の側面又はボトル上部に設けられた「畳み合わせ部」又は「折り畳み部」で折り曲げ、折り畳む構成であり、上記特許文献１と同様に、自在に折り畳むことができず、折り畳み状態における容器の小型化が十分でないという問題があった。また、予め設けられた「畳み合わせ部」又は「折り畳み部」で折り曲げをし、折り畳まなければならず、折り畳み作業に時間と労力を要するばかりか、折り畳み状態から液体等を充填可能な状態（使用状態）に復元する作業にもまた、時間と労力を要するという問題もあった。
【先行技術文献】
【特許文献】
【０００６】
【特許文献１】特開平６−３１２７３４
【特許文献２】特開２０１０−２７５０１２
【発明の概要】
【発明が解決しようとする課題】
【０００７】
そこで、本発明の課題は、折り畳み状態における容器を十分に小型化すると共に、折り畳み作業及び使用状態への復元作業が容易かつ瞬時にできるシリコーン樹脂製容器を提供することにある。
【課題を解決するための手段】
【０００８】
上記本発明の課題は、下記の手段により達成される。
１．筒状の胴部と、平面を有する底部と、開口を有する口部と、口部の開口を封止する蓋部と、結束具とを有し、少なくとも前記胴部及び底部がシリコーン樹脂で形成されたシリコーン樹脂製容器であって、
少なくとも前記胴部及び底部は、一体成形によって形成され、
前記結束具は、伸縮可能な紐状体で形成され、前記口部に取り付け可能なリング状の取着部が一端・他端の両端に設けられ、この取着部の一端側が前記口部に取り付けられた構成であって、
前記底部を軸として、前記胴部を、前記口部に至るまでロール状に巻き取り、この巻き取られた胴部及び底部を、前記一端側の取着部が口部に取り付けられている結束具の両端
取着部以外の紐状体部分で巻き絞り、前記結束具の他端側の取着部を前記口部に取り付ける構成であり、
この構成によって、前記胴部が、底部を軸とする巻き取り状態で保持可能な構成であることを特徴とするシリコーン樹脂製容器。
【０００９】
２．底部には、溝部が設けられていることを特徴とする前記１に記載のシリコーン樹脂製容器。
【００１０】
３．溝部は、底部の一端から他端を横断し、胴部の下部側面にまで至っており、底部の中心を通過する直線状の溝であることを特徴とする前記２に記載のシリコーン樹脂製容器。
【００１３】
４．結束具は、伸縮性を有するシリコーン樹脂で形成されている特徴とする前記１〜３のいずれかに記載のシリコーン樹脂製容器。
【００１４】
５．口部には、凸部が設けられていることを特徴とする前記１〜４のいずれかに記載のシリコーン樹脂製容器。
【発明の効果】
【００１６】
前記１に示す発明によれば、少なくとも胴部と底部が、軟質素材であるシリコーン樹脂で形成されているので、底部を軸として胴部及び底部をロール状に巻き取るによって折り畳むことができ、折り畳み状態において十分な小型化を達成することができる。また、この折り畳み状態において、一端が口部に取り付けられている結束具で、胴部及び底部を巻き絞ることができ、この巻き絞られた状態で、結束具の他端を口部に取り付ければ、折り畳み状態を容易に保持することができる。更にまた、この折り畳み状態において、結束具のいずれか一端を口部から外せば、胴部及び底部を形成するシリコーン樹脂の形状復元力によって、容易かつ瞬時に、液体等を充填可能な状態（以下、「使用状態」ともいう。）に復元することができる。
更に、結束具が、伸縮可能な紐状体で形成されているので、胴部及び底部の巻き取り具合によって生じる折り畳み状態における大きさの差異に対応できると共に、口部に取り付け可能な取着部が両端に設けられているので、両端を口部に取り付けすることで、折り畳み状態を容易に保持することができる。
更にまた、取着部が、口部に挿着可能なリング形状に形成されているので、リング状の取着部を口部に装着するだけで取り付けが可能であり、折り畳み作業及び使用状態への復元作業が容易かつ瞬時にできる。
【００１７】
前記２に示す発明によれば、底部に溝部を設けることによって、この溝部を、底部を巻き取る際のガイドとして使用することができ、正確に胴部及び底部を巻き取ることができる。
【００１８】
前記３に示す発明によれば、溝部を、底部の一端から他端を横断し、胴部の下部側面にまで至っており、底部の中心を通過する直線状の溝とすることで、この溝部が、胴部及び底部を巻き取る際の軸となり、より正確に胴部及び底部を巻き取ることができる。
【００２１】
前記４に示す発明によれば、結束具の材質としてシリコーン樹脂を採用することで、十分な伸縮性を有し、耐久性・耐熱性にも優れ、胴部及び底部と同じ材質を採用することになるため、審美性も向上することができる。
【００２２】
前記５に示す発明によれば、口部に凸部を設けることによって、結束具の取着部を口部に取り付けた際に、この凸部が、取着部が脱落することを防ぐ役割を果たす。特に、取着部をリング形状に形成した場合に、簡単な構造で取着部の脱落を防止できる。
【００２３】
尚、蓋部のパッキングとして、シリコーン樹脂を採用すれば、内容物が漏れ出すことを防止することができると共に、このパッキングが、胴部及び底部と同等の耐久性・耐熱性を有することができる。
【図面の簡単な説明】
【００２４】
【図１】シリコーン樹脂製容器の一実施例を表す６面図
【図２】容器本体の一例を表す６面図
【図３】結束具の一例を表す６面図
【図４】使用状態から折り畳み状態に至る過程を表す説明図
【図５】胴部の一部及び口部を表す分解説明図
【発明を実施するための形態】
【００２５】
本発明に係るシリコーン樹脂製容器１は、主に飲料等の液体を入れるための容器であり、容器内部が空の場合又は極めて少量の場合に、ロール状に巻き取ることによってコンパクトに折り畳むことができる容器である。
【００２６】
以下、添付の図面に従って本発明を詳細に説明する。
図１は、本出願に係るシリコーン樹脂製容器１の一実施例を表す６面図であり、背面図は正面図と対称に表れるため省略し、右側面図は左側面図と同一に表れるため省略する。
図２は、図１のシリコーン樹脂製容器１から、結束具６を除いた容器本体のみを表す６面図であり、これに口部４から蓋部５が取り外された状態における斜視図を加えたものである。図１と同様に、背面図は正面図と対称に表れるため省略し、右側面図は左側面図と同一に表れるため省略する。
【００２７】
図１に示すとおり、本発明に係るシリコーン樹脂製容器１は、胴部２と、底部３と、口部４と、蓋部５とを有し、結束具６が取り付けられている。
【００２８】
胴部２は、筒状の形状であり、底部３と口部４との間に位置している。図１〜２においては、円筒状に表わされているが、筒状の形状であれば具体的形状に限定はなく、例えば、三角・四角等の角筒であってもよい。
【００２９】
底部３は、使用状態において平面に起立するために、平面を有する形態であり、胴部２の下部２２に位置している。図１〜２においては、底面視円形に表わされているが、平面を有する形態であれば、その形状に限定はない。
底部３には、溝部３１を設けることができる。底部３に溝部３１を設けることによって、この溝部３１を、底部３を巻き取る際のガイドとして使用することができ、正確に胴部２及び底部３を巻き取ることができる。
【００３０】
溝部３１の好ましい実施態様として、図１における底面図並びに図２における斜視図及び底面図に表わされる態様を挙げることができる。即ち、溝部３１は、底部３の一端から他端を横断し、胴部２の下部２２側面にまで至っており、底部２の略中心を通過する直線状の溝であることが好ましい。この溝部３１が、胴部２及び底部３を巻き取る際の軸となり、底部３の中心を軸とすることができるので、より正確に胴部２及び底部３を巻き取ることができる。
【００３１】
胴部２及び底部３は、シリコーン樹脂を材料として一体成形によって形成されている。
材料として使用されるシリコーン樹脂には、柔軟性を有し、耐久性や耐熱性を備え、食器用又は調理器具用として使用されている公知公用のシリコーン樹脂を特別の制限なく採用することができる。また、一定の保形性を有しており、胴部２又は底部３を折り曲げたり、巻いたりしても、結束具６等による結束等の規制を解除すれば、直ちに使用状態に復元するものが好ましい。
【００３２】
胴部２の側壁の厚さは、１ｍｍ〜３ｍｍの範囲であることが好ましく、１．２ｍｍ〜１．８ｍｍの範囲であることがより好ましい。また、底部３の厚さ（溝部３１以外の部分の厚さをいう。）は、１．５ｍｍ〜４．５ｍｍの範囲であることが好ましく、１．８ｍｍ〜３．０ｍｍの範囲であることがより好ましい。更にまた、胴部２の側壁の厚さと、底部３の厚さとを比較した場合に、底部３の厚さが、胴部２の側壁の厚さの１．２〜１．６倍程度になるように、少し厚く形成されることが好ましい。底部３の厚さを、胴部２の側壁の厚さよりも少し厚く形成するのは、折り畳み状態から使用状態への復元力が優れていること共に、使用状態で起立し易くするためである。
【００３３】
口部４は、開口４１を有し、胴部２の上部２１に位置している。
開口４１は、シリコーン樹脂容器１に飲料等の液体を出し入れするために設けられ、その形状に限定はない。
【００３４】
口部４には、凸部４２を設けることができる。凸部４２は、後述する結束具６の取着部６２を口部４に取り付けた際に、抜け止めの役割を果たす。そのため、凸部４２は、口部４の周縁に設けられ、口部４を形成する周壁よりも突出している。凸部４２の態様に限定はないが、例えば、図１及び図２の正面図や側面図に表わされるように、口部４の上下方向の略中央部分に、全周にわたって設ける態様を挙げることができる。また、全周にわたって連続的に設けなくても、全周にわたって間欠的に設けてもよいし、口部４の周縁の一部に、１つ乃至２以上の凸部４１を設けてもよい（共に図示しない。）。凸部４２は、特に、取着部６２をリング形状に形成した場合に、簡単な構造で取着部６２の脱落を防止でき、有効である。
【００３５】
口部４は、後述する蓋部５を結合することによって、開口４１が封止される。口部４と蓋部５の結合手段に限定はないが、結合手段として螺合を採用する場合は、口部４に口側螺合部４３が形成される。
【００３６】
蓋部５は、口部４の開口４１を封止するために設けられている。シリコーン樹脂製容器１に、飲料等の液体を入れた際に、この液体がこぼれ漏れるのを防止することができる。
【００３７】
蓋部５には、パッキング５１が設けられ、パッキング５１は、シリコーン樹脂製であることが好ましい。これにより、内容物が漏れ出すことを防止でき、このパッキング５１が、胴部２及び底部３と同等の耐久性・耐熱性を有するため、食器洗浄器での使用や熱湯消毒の可否などが共通し、取り扱いが楽である。
【００３８】
蓋部５と口部４との結合手段に限定はないが、図２の斜視図に表されるように、結合手段として螺合を採用する場合は、蓋部５に、口側螺合部４３に対応した蓋側螺合部５２が形成される。
また、図２では、蓋部５と口部４とが別体として表わされているが、本発明は、この構成に限定されるものではなく、飲料用容器の蓋として公知公用の技術を特別の制限なく採用することができる。例えば、蓋部５と口部４とが、ヒンジによって結合され、開閉できる構成であってもよいし、図とは逆に、蓋部５が内側で口部４が外側に位置する螺合構成であってもよいし、蓋部５が口部４に固定された状態で、蓋部５をノック式等の公知の構成により開閉し、蓋部５を口部４から取り外さなくても開口４１を開閉することができる構成であってもよい。
【００３９】
口部４及び蓋部５を形成する材料に限定はないが、シリコーン樹脂等の軟質素材ではなく、硬質素材であることが好ましい。口部４又は蓋部５が軟質であると、変形によって内容物が漏れ出すおそれがあるためである。口部４及び蓋部５を形成する材質として、例えば、ポリプロピレン等を挙げることができる。また、口部４と蓋部５とは、異なる材質で形成されてもよい。
【００４０】
結束具６は、胴部２及び底部３がロール状に巻き取られた際に、この折り畳み状態を保持するためのものである。
図３は、結束部６の一実施態様を表す斜視図である。
【００４１】
結束具６の形態は、両端が口部４に取り付けられ、巻き取られた胴部２及び底部３を巻き絞ることができる態様であれば、その形態に限定はない。
結束部６の形態として、図３に表わされるように、紐状体であって、口部４に取り付け可能な取着部６１・６２が両端に設けられ、この取着部６１・６２が、口部４に挿着可能なリング形状である形態を挙げることができる。
【００４２】
その他、取着部６１・６２の形態を、口部４に係止部を設け、この口部４の係止部に対応する形態とすることによって、係止により取り付けられる態様とすることや、ボタンや面ファスナーとすること等を挙げることができる（図示しない。）。また、取着部６１・６２は、一端の取着部６１と他端の取着部６２とが、異なる形態であってもよい。
【００４３】
結束具６を形成する材料は、全部又は一部が伸縮性を有することが好ましい。結束具６を伸縮可能とすることで、胴部２及び底部３の巻き取り具合によって生じる折り畳み状態における大きさの差異に対応できるためである。
【００４４】
更に、結束具６を形成する材料として、伸縮性を有するシリコーン樹脂を採用することがより好ましい。これにより、結束具６が、胴部２及び底部３と同等の耐久性・耐熱性を有するため、食器洗浄器での使用や熱湯消毒の可否などが共通し、取り扱いが楽であると共に、審美性をも向上させることができるためである。
【００４５】
次に、本発明に係るシリコーン樹脂製容器１の巻き取り手段（折り畳み手段）について、図４に従って説明する。
図４（ａ）は、使用状態（液体等を充填可能な状態。）を示す図である。図では、結束
具６の一端の取着部６１が、口部４に取り付けられているが、使用状態においては、結束具６が口部４に取り付けられていなくてもよい。
【００４６】
先ず、図４（ｂ）に表わされるように、底部３を半分に折る。図では、谷折をしているが、山折でも構わない。また、底部３に溝部３１が形成された実施態様であれば、この溝部３１にそって底部３を折る。この際、図では蓋部５が口部４に取り付けられた状態であるが、この蓋部５を緩めるか、外しておくことが好ましい。蓋部５が取り付けられた状態では、容器の密閉性が高く、容器内の空気が抜けないため、底部３等の変形が困難であるためである。
【００４７】
続いて、図４（ｃ）に表わされるように、折られた底部３を軸として、胴部２をロール状に巻き取る。この際、図４（ｂ）同様に、蓋部５を緩めるか、外しておくことが好ましい。
【００４８】
最後に、図４（ｄ）に表わされるように、胴部２及び底部３を、口部４に至る程度まで巻き取り、この巻き取られた胴部２及び底部３を、結束具６で巻き絞る。このとき、結束具６の一端の取着具６１を、口部４に取り付けた上で、巻き取られた胴部２及び底部３を巻き絞り、他端の取着部６２を口部４に取り付ける。これにより、胴部２及び底部３は、巻き取り状態（折り畳み状態）で保持される。図４（ｄ）においては、取着部６１・６２はリング形状であるので、一端の取着部６１を口部４の上方から挿入し、凸部４２の下方に嵌着又は遊嵌し、次に、巻き取られた胴部２及び底部３を結束具６の紐状部で巻き絞り、他端の取着部６２を口部４の上方から挿入し、凸部４２の下方に嵌着又は遊嵌することで、結束具６は口部４に止着され、折り畳み状態が保持される。
【００４９】
本発明に係るシリコーン樹脂製容器１を、折り畳み状態から使用状態へ復元するには、口部４に取り付けられた結束具６のいずれか一端の取着部６１又は６２を、口部４から取り外し、蓋部５を緩めるか、外すだけでよい。これによって、胴部２及び底部３は、シリコーン樹脂の有する復元力でもって、使用状態の形状に復元する。尚、蓋部５を緩めるか、外すかするのは、容器の密閉状態を解除し、容器内に空気を入れるためである。
【００５０】
次に、胴部２と口部４との結合手段の一例について、図５に従って説明する。
図５（ａ）は、胴部２の上部２１の一部と、口部４を表わした分解説明図であり、図５（ｂ）は、その断面図である。
【００５１】
図５（ａ）及び（ｂ）に表わされるように、口部４は、内部材４ａと外部材４ｂの２つの部材から構成することができる。２つの部材からなる構成は、口部４の構成の一例であって、本発明は、この構成に限定されるものではない。
【００５２】
内部材４ａは、開口４１及び口側螺合部４３を含み、筒状に形成され、口側螺合部４３の下方に鍔部４４が設けられ、その下方に内筒部４５が設けられ、内筒部４５の外壁を外壁部４６という。
【００５３】
外部材４ｂは、凸部４２を含み、筒状に形成され、この内壁を内壁部４７という。
内部材４ａの鍔部４４と、外部材４ｂの凸部４２とは、略同一の径に形成され、結合することで一体の凸部を形成する。
【００５４】
図５（ｂ）に表わされるように、胴部２と口部４とは、口部２の上部２１に上端に位置する被内包部２３を、内部材４ａと外部材４ｂとで、挟着又は嵌着することによって結合される。詳述すると、被内包部２３を、内部材４ａの内筒部４５の外壁部４６と、外部材４ｂの内壁部４７との間に挟み、挟着又は嵌着する。このとき、鍔部４４と凸部４２も結
合される。内部材４ａと、外部材４ｂと、胴部２の被内包部２３とは、挟着又は嵌着のみによって結合してもよいし、高周波を加えて溶着してもよいし、更に接着剤等を用いてもよいし、これらの２以上を組み合わせてもよい。
【００５５】
本発明に係るシリコーン樹脂製容器１の利用例について述べる。
上述のとおり、シリコーン樹脂製容器１は、飲料等の液体を入れることができる容器として利用でき、容器内部が空の場合又は極めて少量の場合に、ロール状に巻き取ることによってコンパクトに折り畳むことができ、持ち歩きに便利な容器である。シリコーン樹脂製であるため、低温から高温までの耐熱性があり、電子レンジに使用でき、冷凍庫に入れることもできる。
【００５６】
例えば、口部２に、人工乳首を装着すれば、持ち歩きに便利な哺乳瓶として使用することができる。外出時に、シリコーン樹脂製容器１を折り畳み状態で持ち歩き、乳児にミルク等を与える際に、容器を使用状態にし、人工乳首を装着し、粉ミルクとお湯を入れ混ぜ合わせれば、哺乳瓶として使用することができる。この場合、乳首をシリコーン樹脂で形成すれば、シリコーン樹脂製容器１と同じ扱いができ、便利である。
【００５７】
また、例えば、飲料の入れ替え容器として使用することができる。昨今、スポーツ観戦のためスタジアムに入場する際等には、ペットボトルや紙コップの持込みが禁止される場合が多いが、シリコーン樹脂製容器１を持って行き、入場時に、購入した飲料等を入れ替えれば、スタジアム内に飲料を持ち込むことができる。シリコーン樹脂製容器１を、来場者が持ち込む他、主催者側が、シリコーン樹脂製容器１を用意しておき、来場者にこれを配布し、飲料の入れ替えを促すこともできる。この際、主催者側が、シリコーン樹脂製容器１を来場者に貸し出し、来場者からデポジットを受け取り、退場時に、シリコーン樹脂製容器１の返却と引き換えに、来場者にデポジットを返金する制度をとることができる。
【符号の説明】
【００５８】
１  シリコーン樹脂製容器
２  胴部
２１  上部
２２  下部
２３  被内包部
３  底部
３１  溝部
４  口部
４ａ  内部材
４ｂ  外部材
４１  開口
４２  凸部
４３  口側螺合部
４４  鍔部
４５  内筒部
４６  内筒部の外壁部
４７  外部材の内壁部
５  蓋部
５１  パッキング
５２  蓋側螺合部
６  結束具
６１、６２  取着部
【図１】
0005827919.tif 000002
【図２】
0005827919.tif 000003
【図３】
0005827919.tif 000004
【図４】
0005827919.tif 000005
【図５】
0005827919.tif 000006